(57)【要約】      （修正有）【課題】鋼矢板を地中深く打込むための鋼矢板打込機械を提供する。【解決手段】鋼矢板１の中央山形部２を鋼矢板１保持用のＴ形長尺材１０の浅溝により落し込むように支持した後、鋼矢板１の下端がＵ形金具３の溝にＴ形長尺材１０の下端部１２を差込み、又鋼矢板１の上端をボルト４等によりＴ形長尺材１０に固定して一体とした後、Ｔ形長尺材１０を案内ローラー１４、鋼矢板１を押え込み用ローラー５により支持した後、Ｔ形長尺材１０の上端部１１をエアーハンマー２１等により打撃して抱えこんでいる鋼矢板１を地中深くまで打込むようにした鋼矢板打込機械。【選択図】図２
2015068162.tif 000002
【特許請求の範囲】
【請求項１】
鋼矢板を地中に打込む機械の構造において鋼矢板（１）の中央山形部（２）を鋼矢板保持用のＴ形長尺材（１０）の浅溝（１６）により落し込むように支持した後、鋼矢板下端のＵ形金具（３）の溝にＴ形長尺材（１０）の下端部（１２）を差込み、又鋼矢板の上端をボルト（４）等によりＴ形長尺材（１０）に固定して一体とした後、Ｔ形長尺材をその両側面の案内ローラー（１４）により挟持し、又鋼矢板（１）の反対側を押え込み用ローラー（５）により押えて支持した後、Ｔ形長尺材（１０）の上端部（１１）に取付けたエアーハンマー（２１）等により打撃して鋼矢板（１）を抱えこんだままＴ形長尺材（１０）を地中に押込み、所定の深さに達すると鋼矢板（１）上端のボルト（４）を外し、又押え込みローラー（５）を開いた後、Ｔ形長尺材（１０）を巻揚機（２２）等で引上げて、鋼矢板（１）だけ地中に残すようにした鋼矢板打込機械の構造。
【請求項２】
請求項１に記載の鋼矢板打込機械の構造において鋼矢板（１）の中央山形部（２）を鋼矢板保持用のＴ形長尺材（１０）の浅溝（１６）に落し込むように支持するとき、Ｔ形長尺材（１０）を電磁発生源（２７）により磁化することにより鋼矢板（１）と磁力により結合させ、Ｔ形長尺材（１０）を地中に打込むとき長尺の鋼矢板（１）の座屈を防いで、より深い地中まで打込みうるようにし、所定の深さに達すると鋼矢板（１）上端のボルト（４）を取外し、又押え込みローラー（５）を開いた後、電磁発生源（２７）を止めてＴ形長尺材（１０）と鋼矢板（１）の密着を解き、Ｔ形長尺材を巻揚機（２２）等で引上げて鋼矢板だけ地中に残すようにした鋼矢板打込機械の構造。
【発明の詳細な説明】
【技術分野】
【０００１】  地中深くまで鋼矢板を打込みうるようにした鋼矢板打込機械の構造
【背景技術】
【０００２】  現在鋼矢板を地中深くまで打込む目的の機械は開発されていません。
【発明の開示】
【発明が解決しようとする課題】
【０００３】  鋼矢板を地中深くまで打込むためには、鋼矢板の肉厚を増す以外現在では方法が残されていない、本発明ではそのままの肉厚の鉄板を地中深くまで打込むことを目的とする。
【課題を解決するための手段】
【０００４】  本発明は鋼矢板を地中に打込む機械の構造において、鋼矢板１の中央山形部２と鋼矢板保持用のＴ形長尺材１０の浅溝１６により落し込むように支持した後、鋼矢板下端のＵ形金具３の溝にＴ形長尺材１０の下端部１２を差込み、又鋼矢板の上端をボルト４等によりＴ形長尺材１０に固定して一体とした後、Ｔ形長尺材をその両側面の案内ローラー１４により挟持し、又鋼矢板１の反対側を押え込み用ローラー５により押えて支持する。【０００５】  そしてＴ形長尺材１０をその上端部１１に取付けたエアーハンマー２１等により打撃して鋼矢板１を抱えこんだままＴ形長尺材１０を地中に押込み、所定の深さに達すると鋼矢板１上端のボルト４を外し、又押え込みローラーを開いた後、Ｔ形長尺材１０を巻揚機２２等で引上げて鋼矢板１だけ地中に残すようにする。
【発明の効果】
【０００６】  本発明により鋼矢板を従来より、より深く打込むことが可能になり、特に止水用の鋼矢板を深く打込むことが可能になり、防水対策に効力を発揮することが可能になる。
【図面の簡単な説明】
【０００７】
【図１】本発明の実施形態の一例として、長尺の矢板を鋼矢板打込機械に取付けたときの側面図
【図２】図１の縦断面拡大図
【図３】図２のＡ−Ａ断面図
【発明を実施するための形態】
【０００８】  鋼矢板１の中央山形部２を鋼矢板保持用のＴ形長尺材１０の浅溝１６により落し込むように支持して、これらが組合わされた形もＴ形になるようにして、鋼矢板の縦方向の湾曲を防止する形状とし、鋼矢板の下端のＵ形金具３の溝にＴ形長尺材１０の下端部１２を差込み、又鋼矢板の上端をボルト４等によりＴ形長尺材１０に固定して一体とした後、Ｔ形長尺板をその両側面の案内ローラー１４により挟持する、又鋼矢板１の反対側を押え込み用ローラー５により押えて支持する。
【０００９】  これら案内ローラー１４及び押え込み用ローラー５の位置は地上約５０糎の位置を最下位とし、数米間隔にＴ形長尺材１０の上方に向い数箇所設けて、鋼矢板１と同時に支持するようにする、そしてＴ形長尺材１０の上端部１１に取付けたエアーハンマー２１等により打撃して鋼矢板１を抱えこんだままＴ形長尺材１０を地中に打込んでいく、このとき巻揚機２２のクラッチ２３は開いておくため、Ｔ形長尺材１０は打撃により降下していくことが可能である、Ｔ形長尺材１０が所定の深さに達すると、鋼矢板１上端のボルト４を取外し、押え込みローラー５を作動シリンダー９により開いた後、Ｔ形長尺材１０を巻揚機２２等で引上げるとＴ形長尺材の下端部１２の差込みは自然に抜けて鋼矢板１だけ地中に残ることとなる、猶Ｔ形長尺材１０の引抜に際して注水用細管３０により少量の水等を注入する事によりこの作業を容易にする事が出来る。
【００１０】  鋼矢板の中央山形部２を鋼矢板保持用のＴ形長尺材１０の浅溝１６に落し込むように支持するとき、Ｔ形長尺材１０を電磁発生源２７により磁化することにより鋼矢板１と磁力により結合させる、電磁発生源２７はＴ形長尺材１０の上部にバネ等により浮かして取付けられ、これに電流が供給されて磁化し、この磁束を多数本の磁束伝達用ワイヤーロープ２９によりＴ形長尺材１０に送り込まれ、その下端部１２まで磁化され鋼矢板１と磁化結合して剛性の高いＴ形長尺材を形成する、従って地中に打込むとき、鋼矢板１の座屈を防いでより深い地中までの打込みが可能となる。
【符号の説明】
【００１１】  １・・・鋼矢板                              ２・・・鋼矢板の中央山形部
３・・・鋼矢板下端のＵ形金具                ４・・・鋼矢板上端のボルト
５・・・鋼矢板押え込み用ローラー            ６・・・押え込み用ローラーの取付腕
７・・・鋼矢板押え込み用ローラーの揺動腕    ８・・・押え込み用ローラーの揺動軸
９・・・押え込み用ローラーの作動シリンダー１０・・・Ｔ形長尺材
１１・・・Ｔ形長尺材の上端部                １２・・・Ｔ形長尺材の下端部
１３・・・Ｔ形長尺材の案内溝                １４・・・Ｔ形長尺材用案内ローラー
１５・・・案内ローラー取付台                １６・・・Ｔ形長尺材の浅溝
１７・・・機械本体の溝型柱                  １８・・・機械本体の架台
１９・・・溝型柱取付腕                      ２０・・・架台用車輪
２１・・・エアーハンマー                    ２２・・・巻揚機
２３・・・巻揚機用クラッチ                  ２４・・・ワイヤーロープ
２５・・・ワイヤーロープ用プーリー          ２６・・・プーリー取付用柱
２７・・・電磁発生源                        ２８・・・電磁発生源収納函
２９・・・磁束伝達用ワイヤーロープ          ３０・・・注水用細管
３１・・・地面
【図１】
2015068162.tif 000003
【図２】
2015068162.tif 000004
【図３】
2015068162.tif 000005